(57)【要約】      （修正有）【課題】  １つのスイッチングサイクルのオン時及びオフ時とも、リアクトル装置の第１の２次巻線及び第２の２次巻線の各々から所定量のエネルギを得る。【解決手段】  リアクトル装置は、コア装置2と、コア装置2に巻回されるコイル装置3とを備えている。コア装置2は、互いに並行に配置された第１の脚部4、第２の脚部5、第３の脚部6並びに第１の脚部4、第２の脚部5及び第３の脚部6を連結して磁気回路を形成する基部7を備えている。コイル装置3は、第１の脚部4に巻回された１次巻線Npと、第２の脚部5に巻回された第１の２次巻線Nsと、第１の脚部又は第３の脚部6に巻回された第２の２次巻線Nfとを備え、第２の脚部5は、第３の脚部6の断面積より小さい小断面部を備えている。【選択図】  図２
2005166717.tif 000002
【特許請求の範囲】
【請求項１】
コア装置と、該コア装置に巻回されるコイル装置とを備え、
前記コア装置は、互いに並行に配置された第１の脚部、第２の脚部、第３の脚部並びに前記第１の脚部、第２の脚部及び第３の脚部を連結して磁気回路を形成する基部を備え、
前記コイル装置は、前記第１の脚部に巻回された１次巻線と、前記第２の脚部に巻回された第１の２次巻線と、前記第１の脚部又は第３の脚部に巻回された第２の２次巻線とを備え、
前記第２の脚部は、前記第３の脚部の断面積より小さい小断面部を備えたことを特徴とするリアクトル装置。
【請求項２】
前記第２の脚部の断面積は、前記第１の脚部又は第３の脚部の３０%〜７０%の範囲である請求項１に記載のリアクトル装置。
【請求項３】
磁束が集中して磁気飽和を起こし易い小断面部を前記第２の脚部に形成した請求項１に記載のリアクトル装置。
【請求項４】
前記第３の脚部の一部に間隙を設けた請求項１〜３の何れか１項に記載のリアクトル装置。
【請求項５】
前記第１の脚部、第２の脚部及び基部並びに前記第１の脚部に巻回された１次巻線と、第２の脚部に巻回された第１の２次巻線は、主トランスを構成し、前記第１の脚部、第３の脚部及び基部並びに前記第１の脚部に巻回された１次巻線と、前記第１の脚部又は第３の脚部に巻回された第２の２次巻線は、帰還トランスを構成する請求項１に記載のリアクトル装置。
【請求項６】
前記１次巻線と第２の２次巻線とを前記第１の脚部に巻回し、
前記第１の２次巻線を前記第２の脚部に巻回し、
前記第１の２次巻線と前記第２の２次巻線から前記１次巻線に印加される１サイクルのエネルギを取り出す請求項１に記載のリアクトル装置。
【請求項７】
前記第１の脚部に巻回した前記１次巻線と第２の２次巻線との間に形成した間隙に所定のリーケージインダクタンスを付与して、共振電流を生成する請求項６に記載のリアクトル装置。
【請求項８】
前記第１の脚部に巻回された１次巻線と、第２の２次巻線との間に磁性体を挿入した請求項７に記載のリアクトル装置。
【請求項９】
前記コイル装置は、前記第１の脚部を収容する内側空洞及び該内部空洞を形成し且つ前記１次巻線を巻回する内側筒部を形成する第１のボビンと、
前記第２の脚部を収容する側部空洞を形成し且つ前記第１の２次巻線を巻回する側部筒部を有する第２のボビンと、
前記１次巻線を巻回した前記内側筒部を収容する外側空洞を形成し前記第２の２次巻線を巻回する外側筒部を形成する第３のボビンとを備えた請求項１に記載のリアクトル装置。
【請求項１０】
前記１次巻線を巻回した前記第１のボビンの前記内側筒部と、前記第２の２次巻線を巻回した前記第３のボビンの外側筒部とを前記第１の脚部に対して何れも同心状に配置した請求項９に記載のリアクトル装置。
【請求項１１】
前記第２の２次巻線を巻回した前記第３のボビンの外側筒部に凹部を形成し、該凹部に磁性体を配置した請求項９又は１０に記載のリアクトル装置。
【請求項１２】
前記第２の２次巻線を巻回する前記第３のボビンの外側筒部に２つ以上の前記凹部を形成し、該凹部の各々に磁性体を配置した請求項１１に記載のリアクトル装置。
【請求項１３】
前記第２の２次巻線を巻回する前記第３のボビンの外側筒部の同一円周上の対角線上に９０度の等角度間隔で形成した４個以下の前記凹部の各々に前記磁性体を配置した請求項１１又は１２に記載のリアクトル装置。
【請求項１４】
前記コイル装置は、前記第１の脚部を収容する内側空洞及び該内部空洞を形成し且つ前記１次巻線を巻回する内側筒部を形成する第１のボビンと、
前記第２の脚部を収容する側部空洞を形成し且つ前記第１の２次巻線を巻回する側部筒部を有する第２のボビンと
前記第３の脚部を収容する側部空洞を形成し且つ前記第２の２次巻線を巻回する側部筒部を有する第３のボビンとを備え、
前記第１の２次巻線と前記第２の２次巻線から１サイクルのエネルギを取り出す請求項１に記載のリアクトル装置。
【請求項１５】
前記コイル装置は、前記第１の脚部を収容する内側空洞及び該内部空洞を形成し且つ前記１次巻線を巻回する内側筒部を形成する第１のボビンと、
前記第２の脚部を収容する側部空洞を形成し且つ前記第１の２次巻線を巻回する側部筒部を有する第２のボビンとを備え、
前記内側筒部に巻回した前記１次巻線の上に絶縁体を介して前記第２の２次巻線を巻回した請求項１に記載のリアクトル装置。
【請求項１６】
前記１次巻線と前記２次巻線との間に配置した絶縁体の間に磁性体を配置した請求項１５に記載のリアクトル装置。
【請求項１７】
前記１次巻線と前記２次巻線との間に挿入した磁性体の太さ、長さ又は数によりリーケージインダクタンスを調整する請求項１１又は１６に記載のリアクトル装置。
【発明の詳細な説明】
【技術分野】
【０００１】
本発明は、リアクトル装置、特に、主トランスと帰還トランスとを形成し、１次巻線への通電時及び非通電時に２次巻線から出力を取り出すリアクトル装置に関するものである。
【背景技術】
【０００２】
例えば下記特許文献１及び図９に示す公知のトランス(50)は、第１のＥ形フェライトコア(51)と第２のＥ形フェライトコア(52)とによってコアが組み立てられる。図１０に示すように、例えば第１のＥ形フェライトコア(51)は、中脚部(53)と、中脚部(53)の両側に配置された一対の外脚部(54,55)とを有し、互いに平行に配置された中脚部(53)及び外脚部(54,55)は、各端部で基部(56)により一体に保持される。ボビン(58)を介して中脚部(53)の周囲にコイル(57)を巻回した後、中脚部(53)と一対の外脚部(54,55)の他端部に第２のＥ形フェライトコア(52)を装着することにより、トランス(50)が組み立てられる。
従来のＥコアの中脚部と、中脚部の両側に配置された一対の外脚部の断面積は中脚部に１次巻線、２次巻線を巻き回し、中脚部で発生する起磁力は中脚部(12)の両側に配置された一対の外脚部(13,14)に１／２づつ分かれるため、理論的には中脚部の断面積に比べ両側に配置された一対の外脚部の断面積はそれぞれ１／２とする。
【０００３】
【特許文献１】実開昭５９−１０９１２１号公報（実願昭５８−２４３４号）
【発明の開示】
【発明が解決しようとする課題】
【０００４】
ところで、リアクトル装置用コアとして用いられるＥ形フェライトコア(50,51)では、１次巻線と２次巻線とを中脚部(53)に巻回してリアクトル装置として使用するとき、１つのリアクトル装置で１次巻線に電力を供給して、第１の脚部としての中脚部(53)と第３の脚部としての一方の外脚部(55)とにエネルギを蓄積すると同時に、飽和脚としての他方の外客部(54)に巻回した２次巻線からエネルギを取り出す。また、中脚部(53)に巻回した１次巻線に流れる電流を停止したときに、リアクトル装置に蓄積されたエネルギを中脚部(53)に巻回した２次巻線から取り出す。この場合に、リアクトル装置を直流偏磁させて使用するため、リアクトル装置に蓄積されたエネルギを取り出す一方の外脚部(55)の断面積が中脚部(53)の断面積に比べて小さいと、一方の外脚部(55)が早く飽和し又は飽和する可能性があり、十分なエネルギを蓄えることができず、１つのスイッチングサイクルを構成するオン時とオフ時との両方でリアクトル装置の２次巻線から出力を得るのに適するリアクトル装置ではない問題があった。
本発明は、１つのスイッチングサイクルのオン時及びオフ時とも、第１の２次巻線及び第２の２次巻線の各々から所定量のエネルギを得るのに適するリアクトル装置を提供することを目的とする。
【課題を解決するための手段】
【０００５】
本発明によるリアクトル装置は、コア装置(2)と、コア装置(2)に巻回されるコイル装置(3)とを備えている。コア装置(2)は、互いに並行に配置された第１の脚部(4)、第２の脚部(5)、第３の脚部(6)並びに第１の脚部(4)、第２の脚部(5)及び第３の脚部(6)を連結して磁気回路を形成する基部(7)を備えている。コイル装置(3)は、第１の脚部(4)に巻回された１次巻線(Np)と、第２の脚部(5)に巻回された第１の２次巻線(Ns)と、第１の脚部(4)又は第３の脚部(6)に巻回された第２の２次巻線(Nf)とを備えている。第２の脚部(5)は、第３の脚部(6)の断面積より小さい小断面部(11)を備えている。
【０００６】
１次巻線(Np)に電流が流れると、第１の脚部(4)と基部(7)とを介して第２の脚部(5)と第３の脚部(6)とに分離する磁束(F1,F2)がコア装置(2)に発生する。１次巻線(Np)に電圧が印加される期間にエネルギを第１の２次巻線(Ns)から取り出す第１の２次巻線(Ns)を巻回する第２の脚部(5)は、第２の脚部(5)にエネルギを蓄積する必要がないため、第２の脚部(5)の断面積は、第１の脚部(4)及び第３の脚部(6)の１／２の断面でよく、小型軽量化及びコストダウンを図ることができる。コア装置(2)に十分なエネルギを蓄積する第３の脚部(6)にエネルギが蓄積されたときの磁束密度は、飽和磁束密度に対して十分に低く、１次巻線(Np)に流れる電流が停止した後に、第１の脚部(4)又は第３の脚部(6)に巻回した第２の２次巻線(Nf)からコア装置(2)に蓄積されたエネルギを取り出すことができる。
【発明の効果】
【０００７】
１つのスイッチングサイクルのオン時及びオフ時とも、リアクトル装置の第１の２次巻線及び第２の２次巻線の各々から所定量のエネルギを得ることができる。
【発明を実施するための最良の形態】
【０００８】
以下、本発明によるリアクトル装置の実施の形態を図１〜図６について説明する。
図３は、本発明の一実施の形態によるリアクトル装置の断面図である。図示のように、このリアクトル装置は、互いに並行に配置された第１の脚部(4)、第２の脚部(5)、第３の脚部(6)及びそれらを連結して磁気回路を構成する基部(7)を備えている。コイル装置(3)は、第１の脚部(4)に巻回された１次巻線(Np)と、第２の脚部(5)に巻回された第１の２次巻線(Ns)と、第１の脚部(4)又は第３の脚部(6)に巻回された第２の２次巻線(Nf)とを備えている。第２の脚部(5)は、第３の脚部(6)の断面より小さい小断面部(11)を備えている。図４は、本発明によるリアクトル装置の等価回路(1)と、リアクトル装置の等価回路を適用するスイッチング電源の電気回路を示す。
【０００９】
リアクトル装置(1)は、１次巻線(Np)と２次巻線(N)とを有するトランス(T)を備えている。１次巻線(Np)の一端は、直流電源(Ei)の正側端子に接続され、１次巻線(Np)の他端はリーケージインダクタンス(Ls)を介してメインスイッチ(Qm)の一端に接続される。メインスイッチ(Qm)の他端は、直流電源(Ei)の負側端子に接続され、メインスイッチ(Qm)の制御端子(ゲート)は、制御回路(40)に接続される。また、メインスイッチ(Qm)の一端は、補助スイッチ(Qs)及びスナバーコンデンサ(Cs)を介して直流電源(Ei)の正側端子に接続され、補助スイッチ(Qs)の制御端子は、制御回路(40)に接続される。
【００１０】
主脚である第１の脚部(4)、第１の脚部(4)に巻回された１次巻線(Np)、飽和脚である第２の脚部(5)、第２の脚部(5)に巻回された第１の２次巻線(Ns)及び基部(7)は、主トランス(T1)を構成し、第１の脚部(4)、第１の脚部(4)に巻回された１次巻線(Np)と第２の２次巻線（帰還巻線）(Nf)及び基部(7)は、帰還トランス(T2)を構成する。等価的に、第１の２次巻線(Ns)に並列に可飽和リアクトル(SL)が接続され、第１の２次巻線(Ns)と可飽和リアクトル(SL)は、出力整流ダイオード(Do1)を介してコンデンサ(Co)と負荷(Ro)とに接続される。第２の２次巻線(Nf)は、出力整流ダイオード(Do2)を介してコンデンサ(Co)と負荷(Ro)とに接続される。図４に示す出力電圧検出回路(41)は、負荷(Ro)への出力電圧を監視して、出力電圧に対応する検出信号をホトカプラ(42)を通じて制御回路(40)に送出し、これにより制御回路(40)は、出力電圧検出回路(41)の検出電圧のレベルに応じてメインスイッチ(Qm)と補助スイッチ(Qs)への駆動信号のパルス幅を制御することができる。
【００１１】
図４に示す主トランス(T1)と帰還トランス(T2)とを含むリアクトル装置(1)の斜視図を図１に示し、分解斜視図を図２に示す。
【００１２】
リアクトル装置(1)は、コア装置(2)と、コア装置(2)に巻回されるコイル装置(3)とを備え、コイル装置(3)は、何れも絶縁性の樹脂により一体成形された第１のボビン(22)と、第２のボビン(25)と、第３のボビン(28)とを備えている。第１のボビン(22)内には第１の脚部(4)が配置され、第１のボビン(22)には１次巻線(Np)が巻回される。第２のボビン(25)内には第２の脚部(5)が配置され、第２のボビン(25)には第１の２次巻線(Ns)が巻回される。また、第３のボビン(28)内には第１のボビン(22)が配置され、第３のボビン(28)には第２の２次巻線(Nf)が巻回される。コア装置(2)は、互いに並行に配置された第１の脚部(4)、第２の脚部(5)、分路脚である第３の脚部(6)及び第１の脚部(4)、第２の脚部(5)及び第３の脚部(6)とを連結して磁気回路を形成する基部(7)とが互いに対称な形状に形成された１対のＥ形コアを備えている。本実施の形態では、第１の脚部(4)は円形断面を有し、基部(7)の略中央部に突出して形成される。基部(7)の一端と他端にそれぞれ形成される第２の脚部(5)と第３の脚部(6)は、それぞれ矩形断面を有するが、第２の脚部(5)の断面積は、第１の脚部(4)又は第３の脚部(6)の３０%〜７０%の範囲、例えば第３の脚部(6)の略半分であり、第１の脚部(4)は、第３の脚部(6)と略同一の断面積を有する。
【００１３】
図２及び図３は本発明の第１の実施例のリアクトル装置用コアの実施例を示す斜視図及びＡ−Ａ線断面図である。本実施例リアクトル装置用コア(1)は、例えばフェライトコアからなる中脚部(2)と中脚部(2)の両側に配置された一対の外脚部(3,4)とを有し、各脚部(2,3,4)が互いに平行に配置された形状となる。
【００１４】
図３に示すように、磁束が集中して磁気飽和を起こし易い小断面部(11)を対向する一対の各第２の脚部(5)の先端部に切欠部(10)により形成するので、全体として第２の脚部(5)の長さ方向の略中央部に小断面部(11)が形成される。第２の脚部(5)の飽和箇所を限定することにより、コア装置(2)の形状及び特性のばらつきによる飽和時期の変化及び飽和時のインダクタンスの変化を制御できる。第３の脚部(6)の中央部に間隙(12)を形成するので、間隙(12)により直流磁化に対して飽和し難い特性を第３の脚部(6)に付与し、第３の脚部(6)に分流する磁束によりエネルギを第３の脚部(6)内に蓄積することができ、第３の脚部(6)の間隙(12)を１次巻線(Np)のリーケージインダクタンスとして使用できる。また、第３の脚部(6)に間隙(12)を形成しても、間隙(12)上に第２の２次巻線(Nf)を巻回することによりリアクトル装置の外部に漏れる磁束を低減して、外部への影響を減少することができる。
【００１５】
図２に示すように、第１のボビン(22)は、第１の脚部(4)を収容する内側空洞(20)及び内部空洞(20)を形成し且つ１次巻線(Np)を巻回する内側筒部(21)を形成する。内側筒部(21)は、円筒状に形成され、１次巻線(Np)が巻回される。一方の端部のフランジ(35)にはリアクトル装置(1)を安定して配置するため、折曲部(36)が形成される。第２のボビン(25)は、第２の脚部(5)を収容する側部空洞(26)を形成し且つ第１の２次巻線(Ns)を巻回する略矩形断面の側部筒部(27)を有し、側部筒部(27)の両端部にはフランジ(37)が形成される。第３のボビン(28)は、１次巻線(Np)を巻回した内側筒部(21)を収容する外側空洞(23)を形成し且つ第２の２次巻線(Nf)を巻回する円筒状に形成された外側筒部(24)を形成する。１次巻線(Np)を巻回した第１のボビン(22)の内側筒部(21)と、第２の２次巻線(Nf)を巻回した第２のボビン(25)の外側筒部(24)とは、第１の脚部(4)に対して何れも同心状に配置される。第１のボビン(22)、第２のボビン(25)及び第３のボビン(28)により１次巻線(Np)、第１の２次巻線(Ns)及び第２の２次巻線(Nf)を所定の位置に確実に配置することができる。外側筒部(24)に円弧状の凹部(32)を形成し、凹部(32)内に磁性体(31)を配置するので、磁性体(31)は、第１の脚部(4)に巻回された１次巻線(Np)と第２の２次巻線(Nf)との間に挿入される。
【００１６】
第２の２次巻線(Nf)を巻回する第３のボビン(28)の外側筒部(24)に２つ以上の凹部(32)を形成し、凹部(32)の各々に磁性体(31)を配置することができる。例えば、図６に示すように、第２の２次巻線(Nf)を巻回する第３のボビン(28)の外側筒部(24)の同一円周上の斜め対角線上に９０度の等角度間隔で形成した４個以下の凹部(32)の各々に磁性体(31)を配置し、挿入する磁性体の数を増減することによりリーケージインダクタンス(Ls)を所定の値に調整すると共に、凹部(32)を斜め対角線上に４個所設けることにより、磁性体により巻線が膨らんでも外形が大きくならない。
【００１７】
１次巻線(Np)と第２の２次巻線(Nf)との間に間隙を形成し又は磁性体を設けて、ボビンの機械的な位置関係により間隙又は／及び磁性体の長さ、面積、数により、リアクトル装置の外部の容量成分との間で共振電流を生成するため、安定した所定のリーケージインダクタンスに調整することができる。また、外側筒部(24)の両端部にはそれぞれフランジ(38)（図２）が形成され、各フランジ(38)の下部にはリードとなる金属製の複数のピン(39)が植設されたベース(40)が取り付けられる。図３に示すように、１次巻線(Np)と第３のボビン(28)の外側筒部(24)との間、即ち第１の脚部(4)に巻回した１次巻線(Np)と第２の２次巻線(Nf)との間に間隙(30)（図８）を径方向に形成し、１次巻線(Np)と帰還巻線(Nf)間に適当なリーケージインダクタンス(Ls)を形成して、主スイッチ(Qm)のオフ時にコンデンサ(Cs)とで共振電流を生成することができる。間隙(30)の代わりに、適当な厚みを有するセパレータを設けててもよい。また、間隙(30)を設けることにより、１次巻線(Np)と帰還巻線(Nf)との間のストレー容量を減少させノイズ低減の効果がある。第１の脚部(4)で発生する磁束は、第２の脚部(5)と第３の脚部(6)にほぼ等しく分流するため、第２の脚部(5)のコアー断面積は第１の脚部(4)の１／２とする。また、第２の脚部(5)は、図３に示すＢ−Ｈ曲線の第３象限で動作する。エネルギを蓄える第３の脚部(6)の断面積を１とし、第２の脚部(5)からの磁束と第３の脚部(6)の磁束の和となる第１の脚部(4)の断面積を第３の脚部(6)と同等に１とする。別法として間隙(30)（図８）に絶縁紙等の絶縁体（図示せず）を配置し、内側筒部(21)に巻回した１次巻線(Np)の上に絶縁体を介して第２の２次巻線(Nf)を巻回し又は１次巻線(Np)と２次巻線(Nf)との間に配置した絶縁体の間に磁性体(31)を配置して、１次巻線(Np)と２次巻線(Nf)との間に配置した磁性体(31)、間隙若しくは絶縁体の太さ、長さ又は数によりリーケージインダクタンス(Ls)を調整することができる。
【００１８】
このように、第１の脚部(4)と第２の脚部(5)とにより主トランス(T1)を構築し、第１の脚部(4)と第３の脚部(6)とにより、エネルギを蓄積するリアクトルとなる帰還トランス(T2)を構築すると、主トランス(T1)は、通常の１／２となり、帰還トランス(T2)は同等と考えられるので相対的容積は、一般のフォワード方式のトランスとリアクトルに比較して２／３となり、３０%以上の小型化を実現できる。
【００１９】
１次巻線(Np)と帰還巻線(Nf)との間にリーケージインダクタンス(Ls)を形成し、コンデンサ(Cs)とで共振させるため、帰還トランス(T2)のサージ電圧が少なくなり、複数の出力を発生する多出力電源では、出力間の相互制御性（クロスレギュレーション）が良い。これにより、制御性の改善に要する２次側部品数の増大を防ぎ、部品点数、実装面積及び損失の低減に効果がある。図１及び図２に示すように、本発明のリアクトル装置は、コア装置(2)とコイル装置(3)との嵌合式ボビン構造により構成され、１次巻線(Np)を第１のボビン(22)に巻回し、第２の２次巻線（帰還巻線）(Nf)を第１のボビン(22)とは異なる第３のボビン(28)に巻回して、第１のボビン(22)を第３のボビン(28)に嵌合して組み立てることにより、１次巻線(Np)と第２の２次巻線(Nf)との間に適切なリーケージインダクタンスと少ないストレー容量を有する帰還トランス(T2)を作成することができる。
【００２０】
制御回路(40)からの駆動信号によりメインスイッチ(Qm)がオンになると、直流電源(Ei)から主トランス(T1)の１次巻線(Np)、リーケージインダクタンス(Ls)及びメインスイッチ(Qm)を通り電流が流れて、１次巻線(Np)を流れる電流によりリーケージインダクタンス(Ls)にエネルギが蓄えられると同時に、直流電源(Ei)から帰還トランス(T2)の１次巻線(Np)、リーケージインダクタンス(Ls)及びメインスイッチ(Qm)を通り共振電流が流れて１次巻線(Np)を流れる電流によりリーケージインダクタンス(Ls)にエネルギが蓄えられる。１次巻線(Np)に電流が流れると、第１の脚部(4)に発生する磁束(F)は、図３のＨ−Ｂグラフ（A）(B)及び（C）に示すように、第１の脚部(4)、基部(7)及び第２の脚部(5)を通る一方の磁束(F1)と、第１の脚部(4)、基部(7)及び第３の脚部(6)を通る他方の磁束(F2)とに分割される。第２の脚部(5)を通る一方の磁束(F1)によって、出力整流ダイオード(Do1)に対して順方向の電流が第１の２次巻線(Ns)に発生するため、第１の２次巻線(Ns)を流れる電流は、出力整流ダイオード(Do1)で整流されコンデンサ(Co)に蓄積されると共に、負荷(Ro)に流れる。しかしながら、出力整流ダイオード(Do2)に対して逆方向の電流が第２の２次巻線(Nf)に発生するため、第２の２次巻線(Nf)には電流は流れない。
【００２１】
制御回路(40)がメインスイッチ(Qm)への駆動信号を停止すると共に、補助スイッチ(Qs)に駆動信号を送出すると、補助スイッチ(Qs)がオンとなる。メインスイッチ(Qm)のオフ時に、第３の脚部(6)に蓄積されたエネルギは、帰還トランス(T2)を構成する第２の２次巻線（帰還巻線）(Nf)から出力整流ダイオード(Do2)で整流されコンデンサ(Co)に蓄積されると共に、負荷(Ro)に流れる。また、補助スイッチ(Qs)のオン時に、リーケージインダクタンス(Ls)に蓄積されたエネルギの一部は、スナバーコンデンサ(Cs)に充電される。このエネルギにより、可飽和リアクトル(SL)の磁束は、飽和方向に偏磁され、補助スイッチ(Qs)がオフする直前に可飽和リアクトル(SL)は飽和し、電流を増やしてから補助スイッチ(Qs)をオフしてソフトスイッチングを達成する。
【００２２】
本発明の実施の形態では、１次巻線(Np)に電圧が印加される期間にエネルギを第１の２次巻線(Ns)から取り出すので、エネルギを蓄積する必要がない第１の２次巻線(Ns)を巻回する第２の脚部(5)の断面積は、第１の脚部(4)及び第３の脚部(6)の１／２の断面でよく、小型軽量化及びコストダウンを図ることができる。コア装置(2)に十分なエネルギを蓄積する第３の脚部(6)にエネルギが蓄積されたときの磁束密度は、飽和磁束密度に対して十分に低く、１次巻線(Np)に流れる電流が停止した後に、第１の脚部(4)又は第３の脚部(6)に巻回した第２の２次巻線(Nf)からコア装置(2)に蓄積されたエネルギを取り出すことができる。
【００２３】
また、第１の脚部(4)に巻回された１次巻線(Np)に電流が流れるときに第２の２次巻線(Ns)から取出し、コア装置(2)の１次巻線(Np)に電流が流れなくなると、コア装置(2)に蓄積されたエネルギを第２の２次巻線(Nf)から取り出すので、第２の脚部(5)に巻回した第１の２次巻線(Ns)と第１の脚部(4)に巻回した第２の２次巻線(Nf)から１次巻線に印加される１サイクルのエネルギを取り出すことができる。
【００２４】
本発明の前記実施の形態は、変更が可能である。例えば、第２の２次巻線(Nf)を第１の脚部(4)に巻回する代わりに、第３の脚部(6)に巻回してもよい。第２の脚部(5)を飽和させずに使用してもよい。第１の脚部(4)、第２の脚部(5)及び第３の脚部(6)を一直線上に配列せず、１２０度の角度で同一円周上又は異なる角度若しくは異なる円周上に立体的に配列してもよい。
【産業上の利用可能性】
【００２５】
本発明は、リアクトル装置に加えて、スイッチング電源にも適用することができる。
【図面の簡単な説明】
【００２６】
【図１】本発明によるリアクトル装置を示す斜視図
【図２】図１のリアクトル装置の分解斜視図
【図３】コイル装置を取り付けたコア装置の断面図とＨ-Ｂ特性を示すグラフ
【図４】本発明によるリアクトル装置を適用するスイッチング電源の回路図
【図５】本発明のリアクトル装置の第１の脚部の断面図
【図６】本発明の他の実施の形態を示す第１の脚部の断面図
【図７】本発明によるリアクトル装置に使用するボビンの他の実施の形態を示す斜視図
【図８】図３に示す巻線構造の他の実施の形態を示す断面図
【図９】従来のリアクトル装置の断面図
【図１０】従来のコア装置の斜視図
【符号の説明】
【００２７】
(2)・・コア装置、  (3)・・コイル装置、  (4)・・第１の脚部、  (5)・・第２の脚部、  (6)・・第３の脚部、  (7)・・基部、  (Np)・・１次巻線、  (Ns)・・第１の２次巻線、  (Nf)・・第２の２次巻線、  (11)・・小断面部、  (20)・・内部空洞、  (21)・・内側筒部、  (22)・・第１のボビン、  (25)・・第２のボビン、  (26)・・内部空洞、  (27)・・内側筒部、  (28)・・第３のボビン、  (30)・・間隙、  (31)・・磁性体、  (32)・・凹部、  (34)・・側部空洞、
【図１】
2005166717.tif 000003
【図２】
2005166717.tif 000004
【図３】
2005166717.tif 000005
【図４】
2005166717.tif 000006
【図５】
2005166717.tif 000007
【図６】
2005166717.tif 000008
【図７】
2005166717.tif 000009
【図８】
2005166717.tif 000010
【図９】
2005166717.tif 000011
【図１０】
2005166717.tif 000012